(57)【要約】【課題】処理槽の生ゴミの処理開始昇温時に、悪臭を発することのない生ゴミ処理方法とその処理装置を提供することを目的とする。【解決手段】生ゴミ処理槽内を４００℃〜５５０℃の蒸気雰囲気中にして槽内の生ゴミを加熱炭化する生ゴミ処理方法であって、処理槽内の生ゴミの処理開始昇温時において前記槽内の温度が２００℃以下の温度帯域で発生する悪臭を、予め設定された２００℃〜４００℃の蒸気雰囲気中に導き入れて消臭することを特徴とする生ゴミ処理方法とその装置。【選択図】      図１
2004321925.tif 000002
【特許請求の範囲】
【請求項１】
生ゴミ処理槽内を４００℃〜５５０℃の蒸気雰囲気中にして槽内の生ゴミを加熱炭化する生ゴミ処理方法であって、処理槽内の生ゴミの処理開始昇温時において前記槽内の温度が２００℃以下の温度帯域で発生する悪臭を、予め設定された２００℃〜４００℃の蒸気雰囲気中に導き入れて消臭することを特徴とする生ゴミ処理方法。
【請求項２】
槽内に生ゴミを入れ蒸気雰囲気中で４００℃〜５５０℃の温度まで昇温することによって前記生ゴミを炭化処理する処理槽（１）と、該処理槽（１）における生ゴミの処理開始昇温時に発生する悪臭を導き入れ且つ該悪臭を消すために２００℃〜４００℃の蒸気雰囲気に予め設定されている反応槽（２）と、を少なくとも備えていることを特徴とする生ゴミ処理装置。
【発明の詳細な説明】
【０００１】
【発明が属する技術分野】
本発明は、生ゴミを減量化、リサイクル化するための生ゴミ処理方法及びその処理装置に関するものである。
【０００２】
【従来の技術】
従来から、生ゴミを４００℃〜５５０℃の蒸気雰囲気中で加熱炭化する生ゴミ処理方法がある。この処理方法は、生ゴミを燃焼させないことから、ダイオキシンを発生させず、悪臭の発生も抑制する。更に、処理後は生ゴミを炭として再利用できる。
【０００３】
しかしながら、上述の生ゴミ処理方法は、処理槽の生ゴミの処理開始昇温時の処理槽内の温度が２００℃以下の温度帯域において、生ゴミから発生する悪臭の処理方法が明確になっていない。
【０００４】
【発明が解決しようとする課題】
本発明は、前記の問題に基づいて開発されたものあり、処理槽の生ゴミの処理開始昇温時に、悪臭を発することのない生ゴミ処理方法とその処理装置を提供することを目的とする。
【０００５】
【課題を解決するための手段】
上記課題を解決するためになされた本発明のうち、請求項１記載の発明は、生ゴミ処理槽内を４００℃〜５５０℃の蒸気雰囲気中にして槽内の生ゴミを加熱炭化する生ゴミ処理方法であって、処理槽内の生ゴミの処理開始昇温時において前記槽内の温度が２００℃以下の温度帯域で発生する悪臭を、予め設定された２００℃〜４００℃の蒸気雰囲気中に導き入れて消臭することを特徴としている。
２００℃〜４００℃の蒸気雰囲気中で悪臭を消臭する時の化学反応式は、次の３つの式によって表される。尚、生ゴミから発生する悪臭は有機物であり、主に炭素、酸素、水素の元素から構成される化合物、下記の式ではＣｐＨｑＯｒで表す。下記（１）式のｐ、ｑ、ｒは整数である。
悪臭：ＣｐＨｑＯｒ  →  ＣＯ＋ＣＯ２＋ＣＨ４＋Ｈ２＋Ｈ２Ｏ  ……（１）
加水反応：ＣＯ＋Ｈ２Ｏ  →  Ｈ２＋ＣＯ２  ……（２）
ＣＨ４＋Ｈ２Ｏ  →  ＣＯ＋３Ｈ２  ……（３）
【０００６】
また、請求項１記載の方法を実施するための具体的な装置として、請求項２記載の発明のように、槽内に生ゴミを入れ蒸気雰囲気中で４００℃〜５５０℃の温度まで昇温することによって前記生ゴミを炭化処理する処理槽と、該処理槽における生ゴミの処理開始昇温時に発生する悪臭を導き入れ且つ該悪臭を消すために２００℃〜４００℃の蒸気雰囲気に予め設定されている反応槽と、を少なくとも備えている生ゴミ処理装置を挙げることができる。
【０００７】
【発明の実施の形態】
以下に、本発明による生ゴミ処理装置の実施形態を図面に基づき説明する。
図１は、本発明による生ゴミ処理装置を示したものである。前記生ゴミ処理装置は、蒸気雰囲気中で４００℃〜５５０℃の温度まで昇温することによって、生ゴミ６を炭化処理する処理槽１と、前記処理槽１における生ゴミ６の処理開始昇温時に発生する悪臭１６を導き入れ且つ該悪臭１６を消すために２００℃〜４００℃の蒸気雰囲気に予め設定されている反応槽２と、前記処理槽１及び前記反応槽２に供給するための水蒸気１５を生成する蒸気発生器５と、から構成されている。
【０００８】
前記蒸気発生器５は、本実施形態例では、内部に電気ヒータ７を有し、水１８が供給され、水蒸気１５を発生するものであり、前記水蒸気１５は蒸気発生器５から延びた第１配管１２により前記処理槽１へ供給され、更に、前記第１配管１２の中間から分岐する第２配管１３より、反応槽２へ供給される。なお、生ゴミが多くの水を有するときは、第２配管１３はいらない。
【０００９】
前記処理槽１は、処理水槽の生ゴミ６が集積する周壁に電気ヒータ８を有し、生ゴミを投入する為の投入口３及び当該投入口３を閉鎖する蓋４を有しており、前記蒸気発生器５によって生成された水蒸気が第１配管１２によって供給され、蒸気雰囲気中にて、電気ヒータ８により処理槽１内を４００℃〜５５０℃の温度まで昇温させ、投入された生ゴミを炭化させるものである。この炭化のときに発生する一酸化炭素、二酸化炭素、水素等を含む悪臭１６は、第３配管１４を通して反応槽２に送られる。また、処理槽１内が２００℃以上に昇温するまでに生ゴミから発生している悪臭も、第３配管１４を通して反応槽２に送られる。
【００１０】
反応槽２は、内部に電気ヒータ９を有し、前記蒸気発生器５と第２配管１３で繋がれており、更に、大気に開放した排出管１１が設けてある。前記反応槽２は、前記処理槽１内で生ゴミ６を処理する開始時に、第２配管１３により送り込まれる水蒸気１５による蒸気雰囲気中で、前記電気ヒータ９によって２００℃〜４００℃の温度になっているように予め制御されている。従って、処理槽１の処理開始時の昇温時において発生し且つ第３配管１４により送り込まれる悪臭１６は、反応槽２内での加水反応により悪臭の少ないガス１７として排出管１１から放出されるものである。なお、処理槽１内が２００〜５５０℃のときは、生ゴミから発生する悪臭成分が処理槽１内で分解することから、反応槽２内の温度を制御する必要はない。
【００１１】
上記の如く構成された生ゴミ処理装置は、先ず、前記処理槽１内に生ゴミ等を投入し、該処理槽１内に設けた電気ヒータ８に通電する前に、前記蒸気発生器５の内部に設けた電気ヒータ７へ通電し、処理槽１及び反応槽２に水蒸気の供給を行う。次いで、前記反応槽２の内部に設けた電気ヒータ９へ通電し、反応槽２内の温度が２００℃〜４００℃になっているよう制御されている。最後に、処理槽１の電気ヒータ８に通電し、処理槽１内の生ゴミの炭化処理を開始する。処理槽１の内部温度は、２００℃以上になると、生ゴミから発生する悪臭成分は処理槽１内で、分解される。４００℃から５５０℃で数時間保持し、生ゴミが炭となることで炭化処理を終了する。
【００１２】
上述のように生ゴミ処理槽を作動させれば、処理開始昇温時に処理槽１から発生する悪臭１６は、反応槽２内の加水反応によって、悪臭の少ないガス１７として大気中に放出でき、昇温後は、処理槽１から発生する悪臭が処理槽１内で加水反応によって、悪臭の少ないガスとして大気中に放出できる。
【００１３】
【発明の効果】
本発明による生ゴミ処理方法及びその装置は、処理槽内の生ゴミの処理開始昇温時にも悪臭の発生しないゴミ処理方法及びその装置を提供することができる。
【図面の簡単な説明】
【図１】本発明によるゴミ処理装置の一例を示す断面図である。
【符号の説明】
１    処理槽
２    反応槽
【図１】
2004321925.tif 000003